(57)【要約】【課題】  缶胴部に形成されたインキ層が構成する文字,図形,若しくは記号が、昇温時および降温時のそれぞれの場合で、異なって目に映る構成を低コストで製造することができる缶を提供することにある。【解決手段】  缶１０の胴部外表面に、第１の図形を構成するとともに、第１の色彩を有する非熱変色性インキ層１１が形成され、このインキ層１１の表面のうち、外周縁１１ａより内方位置に、第２の図形を構成するとともに、缶１０の温度が上昇または下降することにより、第１の色彩,若しくは第２の色彩に可逆的に変色する熱変色性インキ層１２が形成され、缶１０の温度が上昇または下降することにより、熱変色性インキ層１２が第１の色彩から第２の色彩に変色することによって、第２の図形が発現して視覚に映り、第１の図形が変化して視覚に映る。【選択図】        図２
2005187067.tif 000002
【特許請求の範囲】
【請求項１】
缶の胴部外表面に、第１の文字,図形,若しくは記号を構成するとともに、第１の色彩を有する非熱変色性インキ層と、
缶の温度が上昇または下降すると、前記第１の色彩から第２の色彩に変色するインキにより、第２の文字,図形,若しくは記号を構成する熱変色性インキ層とを備え、
前記各インキ層のうちいずれか一方は、他方の周縁に連なるように形成され、
缶の温度が上昇または下降することにより、前記熱変色性インキ層が前記第１の色彩から前記第２の色彩に変色することによって、
前記他方のインキ層の文字,図形,若しくは記号が発現して視覚に映り、前記一方のインキ層の文字,図形,若しくは記号が変化して視覚に映る構成とされたことを特徴とする缶。
【請求項２】
缶の胴部外表面に、第１の文字,図形,若しくは記号を構成するとともに、第１の色彩を有する非熱変色性インキ層が形成され、
該非熱変色性インキ層の表面のうち、該インキ層の外周縁より内方位置に、缶の温度が上昇または下降すると、前記第１の色彩から第２の色彩に変色するインキにより、第２の文字,図形,若しくは記号を構成する熱変色性インキ層が形成され、
缶の温度が上昇または下降することにより、前記熱変色性インキ層が前記第１の色彩から前記第２の色彩に変色することによって、
前記第２の文字,図形,若しくは記号が発現して視覚に映り、前記第１の文字,図形,若しくは記号が変化して視覚に映る構成とされたことを特徴とする缶。
【請求項３】
缶の胴部外表面に、缶の温度が上昇または下降すると、前記第１の色彩から第２の色彩に変色するインキにより、第１の文字,図形,若しくは記号を構成する熱変色性インキ層が形成され、
該熱変色性インキ層の表面のうち、該インキ層の外周縁より内方位置に、第２の文字,図形,若しくは記号を構成するとともに、前記第１の色彩を有する非熱変色性インキ層が形成され、
缶の温度が上昇または下降することにより、前記熱変色性インキ層が前記第１の色彩から前記第２の色彩に変色することによって、
前記第２の文字,図形,若しくは記号が発現して視覚に映り、前記第１の文字,図形,若しくは記号が変化して視覚に映る構成とされたことを特徴とする缶。
【発明の詳細な説明】
【技術分野】
【０００１】
本発明は、文字,図形,または記号を構成するインキ層が胴部に形成された缶に関するものである。
【背景技術】
【０００２】
周知のように、清涼飲料などが充填される容器として、アルミニウム,アルミニウム合金,若しくはスチールにより形成された有底筒状体の開口部に缶蓋が巻締められた、いわゆる２ピース缶と、胴部を有する筒状体の両端部に缶蓋および底蓋が各々巻締められた、いわゆる３ピース缶と、口金部にキャップが螺着されたキャップ付ボトル缶とが主として使用されている。
【０００３】
この種の缶においては、需要者に対する商品識別力を具備させるため、あるいは需要者の購買意欲を喚起する等のために、様々な文字等を施したり、胴部にエンボス加工を施し起伏を付与した構成も提供されている。
【０００４】
ところで、缶にさらなる商品識別力等を具備させるための手段として、下記特許文献１を適用した構成が考えられる。
すなわち、昇温により無色状態から発色し、この状態から降温することにより無色状態に戻る第１の熱変色性インキ層と、降温により無色状態から発色し、この状態から昇温することにより無色状態に戻る第２の熱変色性インキ層とを缶胴部に形成し、これらのインキ層それぞれにより、各別に文字,図形または記号を形成し、昇温時および降温時のそれぞれで、目に映る文字等が異なる構成が考えられる。
【特許文献１】特開２０００−１９４２９５号公報
【発明の開示】
【発明が解決しようとする課題】
【０００５】
ところで、前記熱変色性インキ層は一般に高価であり、前記従来の缶では、昇温および降温のそれぞれで、目に映る文字等が異なる構成を実現するためには、少なくとも第１,第２の熱変色性インキの計２種類使用しなければならず、これにより、製造コストの高騰を招来するという問題があった。
【０００６】
本発明は、このような事情を考慮してなされたもので、缶胴部に形成されたインキ層が構成する文字,図形,若しくは記号が、昇温時および降温時のそれぞれで、異なって目に映る構成を低コストで製造することができる缶を提供することを目的とする。
【課題を解決するための手段】
【０００７】
前記課題を解決して、このような目的を達成するために、本発明は以下の手段を提案している。
請求項１に係る発明は、缶の胴部外表面に、第１の文字,図形,若しくは記号を構成するとともに、第１の色彩を有する非熱変色性インキ層と、缶の温度が上昇または下降すると、前記第１の色彩から第２の色彩に変色するインキにより、第２の文字,図形,若しくは記号を構成する熱変色性インキ層とを備え、前記各インキ層のうちいずれか一方は、他方の周縁に連なるように形成され、缶の温度が上昇または下降することにより、前記熱変色性インキ層が前記第１の色彩から前記第２の色彩に変色することによって、前記他方のインキ層の文字,図形,若しくは記号が発現して視覚に映り、前記一方のインキ層の文字,図形,若しくは記号が変化して視覚に映る構成とされたことを特徴とする。
【０００８】
この発明に係る缶によれば、非熱変色性インキ層および熱変色性インキ層のうちいずれか一方が、他方の周縁に連なるように形成されているので、缶が昇温または降温のいずれか一方の状態にあって、熱変色性インキ層が第１の色彩を有しているときは、前記他方のインキ層が構成する文字,図形,若しくは記号は、前記一方のインキ層の文字,図形,若しくは記号と略同色であるので、前記一方のインキ層の文字等のみが、あるいは前記一方のインキ層の文字等が主として視覚に映ることになる。
この状態から、缶が昇温または降温のいずれか他方の状態になって、熱変色性インキ層が第２の色彩に変色すると、前記他方のインキ層の文字等は、前記一方のインキ層の文字等から発現して視覚に映ることになり、これにより、前記一方のインキ層の文字等が変化したものとして視覚に映ることになる。
【０００９】
請求項２に係る発明は、缶の胴部外表面に、第１の文字,図形,若しくは記号を構成するとともに、第１の色彩を有する非熱変色性インキ層が形成され、該非熱変色性インキ層の表面のうち、該インキ層の外周縁より内方位置に、缶の温度が上昇または下降すると、前記第１の色彩から第２の色彩に変色するインキにより、第２の文字,図形,若しくは記号を構成する熱変色性インキ層が形成され、缶の温度が上昇または下降することにより、前記熱変色性インキ層が前記第１の色彩から前記第２の色彩に変色することによって、前記第２の文字,図形,若しくは記号が発現して視覚に映り、前記第１の文字,図形,若しくは記号が変化して視覚に映る構成とされたことを特徴とする。
【００１０】
この発明に係る缶によれば、熱変色性インキ層が非熱変色性インキ層の表面のうち、この非熱変色性インキ層の外周縁より内方に位置して形成されているので、缶が昇温または降温のいずれか一方の状態にあって、熱変色性インキ層が第１の色彩を有しているときは、この熱変色性インキ層が構成する第２の文字,図形,若しくは記号は、非熱変色性インキ層の第１の文字,図形,若しくは記号と略同色であるので、第２の文字等は視覚に映らず、あるいは視覚に映り難く、第１の文字等のみが、あるいは第１の文字等が主として視覚に映ることになる。
この状態から、缶が昇温または降温のいずれか他方の状態になって、熱変色性インキ層が第２の色彩に変色すると、第２の文字等は、非熱変色性インキ層の第１の文字等から発現して視覚に映ることになり、これにより、第１の文字等が変化したものとして視覚に映ることになる。
【００１１】
請求項３に係る発明は、缶の胴部外表面に、缶の温度が上昇または下降すると、前記第１の色彩から第２の色彩に変色するインキにより、第１の文字,図形,若しくは記号を構成する熱変色性インキ層が形成され、該熱変色性インキ層の表面のうち、該インキ層の外周縁より内方位置に、第２の文字,図形,若しくは記号を構成するとともに、前記第１の色彩を有する非熱変色性インキ層が形成され、缶の温度が上昇または下降することにより、前記熱変色性インキ層が前記第１の色彩から前記第２の色彩に変色することによって、前記第２の文字,図形,若しくは記号が発現して視覚に映り、前記第１の文字,図形,若しくは記号が変化して視覚に映る構成とされたことを特徴とする。
【００１２】
この発明に係る缶によれば、非熱変色性インキ層が熱変色性インキ層の表面のうち、この熱変色性インキ層の外周縁より内方に位置して形成されているので、缶が昇温または降温のいずれか一方の状態にあって、熱変色性インキ層が第１の色彩を有しているときは、非熱変色性インキ層が構成する第２の文字,図形,若しくは記号は、熱変色性インキ層の第１の文字,図形,若しくは記号と略同色であるので、第２の文字等は視覚に映らず、あるいは視覚に映り難く、第１の文字等のみが、あるいは第１の文字等が主として視覚に映ることになる。
この状態から、缶が昇温または降温のいずれか他方の状態になって、熱変色性インキ層が第２の色彩に変色すると、非熱変色性インキ層の第２の文字等は、熱変色性インキ層の第１の文字等から発現して視覚に映ることになり、これにより、第１の文字等が変化したものとして視覚に映ることになる。
【発明の効果】
【００１３】
本発明に係る缶によれば、昇温時および降温時のそれぞれで、缶胴部に形成されたインキ層が構成する文字,図形,若しくは記号が異なって目に映る構成を低コストで製造することができる。
【発明を実施するための最良の形態】
【００１４】
以下、図面を参照し、この発明の実施の形態について説明する。図１および図２はこの発明の第１実施形態を示すものである。
図１は、清涼飲料などが充填される容器としての缶１０の胴部の拡大断面図である。この缶は、例えばアルミニウム,アルミニウム合金,若しくはスチールにより形成された有底筒状体の開口部に缶蓋が巻締められた、いわゆる２ピース缶や、胴部を有する筒状体の両端部に缶蓋および底蓋が各々巻締められた、いわゆる３ピース缶、さらに口金部にキャップが螺着されたキャップ付ボトル缶がある。
【００１５】
缶１０の胴部外表面には、図２に示すように、第１の図形としての三角形を構成するとともに、第１の色彩を有する非熱変色性インキ層１１と、缶１０の温度が下降すると第２の色彩から第１の色彩に変色し、この状態から缶１０の温度が上昇すると、前記第２の色彩に戻る熱変色性インキにより、第２の図形としての円形を構成する熱変色性インキ層１２とが形成されている。そして、熱変色性インキ層１２は、非熱変色性インキ層１１の外周縁１１ａより内方位置に形成され、非熱変色性インキ層１１は、この缶１０の胴部を側面視して、熱変色性インキ層１２の外周縁１２ａに連なるように形成されている。
【００１６】
ここで、非熱変色性インキは、天然樹脂,合成樹脂の別を問わず、ワニス化可能な樹脂として、例えばエポキシ樹脂などからなるビヒクル本体と、ビヒクル本体の溶融性などに応じて適宜選択される、例えばアルコール系の溶剤とを有するビヒクルに、第１の色彩を有する顔料が含有されて概略構成されている。このインキは、飲料入りの缶が使用される一般的な温度範囲０℃〜６０℃では第１の色彩のまま変色しない性状を有するものである。
【００１７】
また、熱変色性インキは、ジフェニルメタンフタリド類などからなる電子供与体物質、アルコキシフェノール化合物からなる電子受容体物質、およびアルコールなどからなる溶媒がマイクロカプセルに内包された可逆熱変色性顔料と、第１の色彩を有する顔料（以下、単に「顔料」という）とがビヒクルに混入されたものであって、飲料入りの缶が使用される一般的な温度範囲０℃〜６０℃で第１,第２の色彩に可逆的に変色する性状を有するものである。また、このインキは、ビヒクル１００重量部に対して、可逆熱変色性顔料が例えば０．５〜５０重量部、好ましくは５〜４０重量部混入されている。
【００１８】
具体的には、缶１０の温度が０℃から１２℃の範囲になると、可逆熱変色性顔料の電子受容体物質と電子供与体物質とが互いの電子を授受することにより発色状態となり、このインキは、可逆熱変色性顔料の色彩と顔料の第２の色彩との混合色としての第１の色彩が視覚に映るようになっている。一方、缶１０の温度が１２℃を超過すると、可逆熱変色性顔料が消色状態となり、顔料の第２の色彩のみが視覚に映るようになっている。なお、可逆熱変色性顔料が発色状態となる温度は、前記溶媒の種類を変更することにより、この溶媒の融点を変更することによって調整することができる。
【００１９】
以上により、図１,図２に示す本実施形態では、例えば飲料入りの缶１０が冷却状態で販売され、この缶１０の温度が１２℃以下であるときには、熱変色性インキ層１２の前記可逆熱変色性顔料が発色状態となっているので、このインキ層１２は前記混合色としての第１の色彩となっている。したがって、図２（ａ）に示すように、このインキ層１２の円形が、非熱変色性インキ層１１の三角形と略同化し視覚に映らない、あるいは映り難くなり、前記三角形のみ、あるいは前記三角形が主として視覚に映ることになる。
【００２０】
そして、前記冷却状態にある缶１０を需要者が購入し、この飲料を飲み干すなどして、所定時間経過し、缶１０の温度が１２℃を超過すると、熱変色性インキ層１２の前記可逆熱変色性顔料が消色状態となるので、このインキ層１２は第２の色彩となる。したがって、図２（ｂ）に示すように、非熱変色性インキ層１１の三角形の内側に、熱変色性インキ層１２の円形が発現して視覚に映り、前記三角形から、内側に円形が描かれた三角形に変化して視覚に映ることになる。
【００２１】
以上のように構成された缶１０の前記各インキ層１１,１２は、例えば次のようにして形成される。
金属板に絞り,しごき加工が施されて形成された有底筒状体の缶胴部外表面に、例えばオフセット印刷により、缶胴部の缶軸方向および周方向における所定位置に三角形とされた非熱変色性インキ層１１を形成するとともに、非熱変色性インキ層１１の表面のうちこの外周縁１１ａの内側に円形とされた熱変色性インキ層１２を形成する。そして、これらのインキ層１１,１２を乾燥,硬化させることにより、図１および図２に示す前記各インキ層１１,１２を形成する。
そして、これらのインキ層１１,１２の表面を覆うように図示しないポリエステル樹脂からなるトップコート層を必要に応じて形成してもよい。
なお、非熱変色性インキ層１１を缶胴部外表面に形成するに先立ってまず、この胴部外表面の略全面に非熱変色性インキ層１１と略同一材料からなる図示しないベースコート層を形成してもよい。
【００２２】
以上説明したように、本実施形態による缶によれば、一種類の熱変色性インキ層１２を形成するのみで、缶１０の温度が上昇および下降したそれぞれの場合で、目に映る図形が異なる缶を得ることができ、このような商品識別力等を有する缶を低コストで製造することが可能になる。
【００２３】
ここで、前記実施形態の缶１０に係る前記作用効果について検証試験を実施した。まず、この試験に供する缶１０について説明する。
実施例１として、非熱変色性インキ層１１を第１の藍色（第１の色彩）の非熱変色性インキにより形成し、熱変色性インキ層１２を、１２℃以下のときに第１の藍色（第１の色彩）となり、１２℃を超過したときに白色（第２の色彩）に変色する熱変色性インキにより形成した缶１０を形成した。また、実施例２として、非熱変色性インキ層１１を第２の藍色（第１の色彩）の非熱変色性インキにより形成し、熱変色性インキ層１２を、１２℃以下のときに第２の藍色（第１の色彩）となり、１２℃を超過したときに白色（第２の色彩）に変色する熱変色性インキにより形成した缶１０を形成した。さらに、実施例３として、非熱変色性インキ層１１を緑色（第１の色彩）の非熱変色性インキにより形成し、熱変色性インキ層１２を、１２℃以下のときに緑色（第１の色彩）となり、１２℃を超過したときに黄色（第２の色彩）に変色する熱変色性インキにより形成した缶１０を形成した。なお、実施例１および２の第１、第２の藍色とは、濃淡の違いにより判別できるものである。
【００２４】
以上のように構成された実施例１〜３それぞれを室温の雰囲気下に置いて、その温度を徐々に低下させ、熱変色性インキ層１２を第２の色彩から第１の色彩に変色させたときの、明度Ｌ＊および色度ａ＊、ｂ＊を測定した。なお、この測定は、ＪＩＳ  Ｚ  ８７２９に規定されるＬ＊ａ＊ｂ＊表示系（標準光源Ｄ６５、視野角１０°）に準拠した。また、同様にして非熱変色性インキ層１１の明度Ｌ＊および色度ａ＊、ｂ＊についても測定した。そして、各インキ層１１、１２それぞれについて得られた明度Ｌ＊および色度ａ＊、ｂ＊に基づいて、これらの各インキ層１１、１２の色差ΔＥを算出した。この色差ΔＥの算出は、熱変色性インキ層１２の明度Ｌ＊および色度ａ＊、ｂ＊と、非熱変色性インキ層１１のそれらとの差、つまりΔＬ＊、Δａ＊、およびΔｂ＊を下記式に代入することにより算出した。
ΔＥ＝（（ΔＬ＊）２＋（Δａ＊）２＋（Δｂ＊）２）１／２
【００２５】
得られた結果を図８に示す。
この図から、実施例１から３は色差ΔＥが２．５より大きく５より小さいことが確認できる。ここで、一般に２色あると視認できる色差ΔＥは２．４以上であることが知られているが、前述した冷却の過程で、肉眼により缶胴体部を観察したところ、実施例１〜３のうち最も色差の大きい実施例１でも、変色の過程を観察していたということもあり、熱変色性インキ層１２は非熱変色性インキ層１１と略同化して、視覚に映る模様が室温下におけるものと異なることが確認できた。従って、本発明では、熱変色性インキ層１２が非熱変色性インキ層１１と略同化し視覚に映らない、あるいは映り難くなるのは、熱変色性インキ層１２と非熱変色性インキ層１１との色差ΔＥが５より小さくなることをいうものとする。
【００２６】
なお、前記実施形態では、缶胴部の外表面に熱変色性インキ層１２の外周縁１２ａに連なるように非熱変色性インキ層１１を形成し、かつ非熱変色性インキ層１１の外周縁１１ａより内方位置に熱変色性インキ層１２を形成した構成を示したが、これとは逆に、図１および図３に示す本発明の第２実施形態のように、非熱変色性インキ層２１の外周縁２１ａに連なるように熱変色性インキ層２２を形成し、かつ熱変色性インキ層２２の外周縁２２ａより内方位置に非熱変色性インキ層２１を形成した構成でもよい。
この構成においても、缶２０が冷却状態にあるときには、熱変色性インキ層２２が発色状態となり、このインキ層２２が第１の色彩になることにより、図３（ａ）に示すように、非熱変色性インキ層２１の円形が、熱変色性インキ層２２の三角形と略同化して視覚に映らない、あるいは映り難くなり、前記三角形のみ、あるいは前記三角形が主として視覚に映ることになる。そして、缶２０の温度が上昇すると、熱変色性インキ層２２が消色状態となり、このインキ層２２が第２の色彩となることにより、図３（ｂ）に示すように、非熱変色性インキ層２１の円形が発現して視覚に映り、前記三角形から、内側に円形が描かれた三角形に変化して視覚に映ることになる。
以上により、この構成においても、前記実施形態と同様な作用効果を有することになる。
【００２７】
次に、本発明の第３実施形態を図４および図５に示す。
缶３０の胴部外表面に、第１の図形としての三角形を構成するとともに、第１の色彩を有する非熱変色性インキ層３１と、缶３０の温度が下降すると第２の色彩から第１の色彩に変色し、この状態から缶３０の温度が上昇すると、前記第２の色彩に戻る熱変色性インキにより、第２の図形としての円環形を構成する熱変色性インキ層３２とが形成されている。そして、熱変色性インキ層３２は、非熱変色性インキ層３１の外周縁３１ａより内方位置に形成され、かつ非熱変色性インキ層３１は、熱変色性インキ層３２の内周縁３２ａより内方位置および外周縁３２ｂより外方位置に各々、これらの周縁３２ａ,３２ｂに連なるように形成されている。
【００２８】
以上のように構成された缶３０では、缶３０の温度が例えば１２℃以下になると、熱変色性インキ層３２が第１の色彩となり、図５（ａ）に示すように、このインキ層３２の円環形が、非熱変色性インキ層３１の三角形と略同化して視覚に映らない、あるいは映り難くなり、前記三角形のみ、あるいは前記三角形が主として視覚に映ることになる。一方、缶３０の温度が１２℃を超過すると、熱変色性インキ層３２が第２の色彩に変色し、図５（ｂ）に示すように、非熱変色性インキ層３１の三角形の内側に、第２の色彩を有する熱変色性インキ層３２の円環が発現して視覚に映り、前記三角形から、内側に円環形が描かれた三角形に変化して視覚に映ることになる。
以上により、この構成においても、前記実施形態と同様な作用効果を有することになる。
【００２９】
次に、本発明の第４実施形態を図２および図６に示す。
缶４０の胴部外表面に、第１の図形としての三角形を構成するとともに、第１の色彩を有する非熱変色性インキ層４１と、この非熱変色性インキ層４１の表面のうち、この外周縁４１ａより内方位置に、缶４０の温度が下降すると第１の色彩から第２の色彩に変色し、この状態から缶４０の温度が上昇すると、前記第１の色彩に戻る熱変色性インキにより、第２の図形としての円形を構成する熱変色性インキ層４２が形成されている。なお、これらの各インキ層４１,４２の膜厚は、０．５μｍ以上３．０μｍ以下で形成されている。
【００３０】
ここで、以上のように構成された缶４０は、次のようにして形成される。まず、板材における所定位置に三角形とされた非熱変色性インキ層４１を形成した後に、非熱変色性インキ層４１の表面のうちこの外周縁４１ａより内方位置に、円形とされた熱変色性インキ層４２を形成し、その後、この板材に基づいて図２および図６に示す缶４０を形成する。そして、これらのインキ層４１,４２の表面を覆うように図示しないポリエステル樹脂からなるトップコート層を必要に応じて形成してもよい。
なお、非熱変色性インキ層４１を缶胴部外表面に形成するに先立ってまず、この胴部外表面の略全面に非熱変色性インキ層４１と略同一材料からなる図示しないベースコート層を形成してもよい。
【００３１】
以上のように構成された缶４０では、缶４０の温度が例えば１２℃以下になると、熱変色性インキ層４２が第１の色彩となり、図２（ａ）に示すように、このインキ層４２の円形が、非熱変色性インキ層４１の三角形と略同化して視覚に映らない、あるいは映り難くなり、前記三角形のみ、あるいは前記三角形が主として視覚に映ることになる。一方、缶４０の温度が１２℃を超過すると、熱変色性インキ層４２が第２の色彩に変色し、図２（ｂ）に示すように、非熱変色性インキ層４１の三角形の内側に、第２の色彩を有する熱変色性インキ層４２の円形が発現して視覚に映り、前記三角形から、内側に円形が描かれた三角形に変化して視覚に映ることになる。
以上により、この構成においても、前記実施形態と同様な作用効果を有することになる。
【００３２】
次に、本発明の第５実施形態を図３および図６に示す。
缶５０の胴部外表面に、缶５０の温度が下降すると第２の色彩から第１の色彩に変色し、この状態から缶５０の温度が上昇すると、前記第２の色彩に戻る熱変色性インキにより、第１の図形としての三角形を構成する熱変色性インキ層５２を形成し、この熱変色性インキ層５２の表面のうち、この外周縁５２ａより内方位置に、第２の図形としての円形を構成するとともに、第１の色彩を有する非熱変色性インキ層５１を形成する。
【００３３】
この構成では、例えば缶５０の温度が１２℃以下となると、熱変色性インキ層５２が第１の色彩となり、図３（ａ）に示すように、非熱変色性インキ層５１の円形が、熱変色性インキ層５２の三角形と略同化して視覚に映らない、あるいは映り難くなり、前記三角形のみ、あるいは前記三角形が主として視覚に映ることになる。一方、缶５０の温度が１２℃を超過すると、熱変色性インキ層５２が第２の色彩となり、図３（ｂ）に示すように、このインキ層５２の三角形の内側に、非熱変色性インキ層５１の円形が発現して視覚に映り、前記三角形から、内側に円形が描かれた三角形に変化して視覚に映ることになる。
したがって、この構成においても、前記実施形態と同様な作用効果を有することになる。
【００３４】
次に、本発明の第６実施形態を図５および図７に示す。
缶６０の胴部外表面に、第１の図形としての三角形を構成するとともに、第１の色彩を有する非熱変色性インキ層６１と、缶６０の温度が下降すると第２の色彩から第１の色彩に変色し、この状態から缶６０の温度が上昇すると、前記第２の色彩に戻る熱変色性インキにより、第２の図形としての円環形を構成する熱変色性インキ層６２とが形成されている。そして、熱変色性インキ層６２は、非熱変色性インキ層６１の表面に、このインキ層６１の外周縁６１ａより内方位置に形成されている。
【００３５】
以上のように構成された缶６０では、缶６０の温度が例えば１２℃以下になると、熱変色性インキ層６２が第１の色彩となり、図５（ａ）に示すように、このインキ層６２の円環形が、非熱変色性インキ層６１の三角形と略同化して視覚に映らない、あるいは映り難くなり、前記三角形のみ、あるいは前記三角形が主として視覚に映ることになる。一方、缶６０の温度が１２℃を超過すると、熱変色性インキ層６２が第２の色彩に変色し、図５（ｂ）に示すように、非熱変色性インキ層６１の三角形の内側に、第２の色彩を有する熱変色性インキ層６２の円環が発現して視覚に映り、前記三角形から、内側に円環形が描かれた三角形に変化して視覚に映ることになる。
以上により、この構成においても、前記実施形態と同様な作用効果を有することになる。なお、この場合、前記昇温状態および降温状態の双方において、熱変色性インキ層６２の円環の内周縁６２ａの内側および外周縁６２ｂの外側における第１の色彩は、非熱変色性インキ層６１の第１の色彩が視覚に映ることになる。
【００３６】
なお、前記各実施形態では、降温状態で熱変色性インキ層が第１の色彩に変色するような構成としたが、これに限らず、昇温状態で熱変色性インキ層が第１の色彩に変色するようにしてもよい。
また、前記各インキ層により図形を表示する構成を示したが、文字や記号であってもよい。
【００３７】
さらに、缶として冷却状態で販売しているいわゆるコールド缶を例示したが、加熱状態で販売しているいわゆるホット缶にも適用可能である。この場合、前記溶媒の種類を変更することにより、この溶媒の融点を変更することにより、例えば、缶の温度が４０℃以上６０℃以下となると、熱変色性インキ層が消色状態となり、顔料の第２の色彩のみが視覚に映るようにし、缶の温度が４０℃未満になると、熱変色性インキ層が発色状態となり、可逆熱変色性顔料の色彩と顔料の第２の色彩との混合色としての第１の色彩が視覚に映るようにすることにより、ホット缶に適用することが可能である。
【産業上の利用可能性】
【００３８】
缶胴部に形成されたインキ層が構成する文字,図形,若しくは記号が、昇温時および降温時のそれぞれの場合で、異なって目に映る構成を低コストで製造することができる缶を提供する。
【図面の簡単な説明】
【００３９】
【図１】本発明の第１,第２実施形態として示した缶胴部の断面図である。
【図２】本発明の第１,第４実施形態として示した缶胴部の平面図であって、（ａ）降温状態で視覚に映る図形、および（ｂ）昇温状態で視覚に映る図形である。
【図３】本発明の第２,第５実施形態として示した缶胴部の平面図であって、（ａ）降温状態で視覚に映る図形、および（ｂ）昇温状態で視覚に映る図形である。
【図４】本発明の第３実施形態として示した缶胴部の断面図である。
【図５】本発明の第３,第６実施形態として示した缶胴部の平面図であって、（ａ）降温状態で視覚に映る図形、および（ｂ）昇温状態で視覚に映る図形である。
【図６】本発明の第４,第５実施形態として示した缶胴部の断面図である。
【図７】本発明の第６実施形態として示した缶胴部の断面図である。
【図８】本発明に係る第１実施形態において、冷却状態にあるときの熱変色性インキ層と非熱変色性インキ層との色差を示す図である。
【符号の説明】
【００４０】
１０,２０,３０,４０,５０,６０  缶
１１,２１,３１,４１,５１,６１  非熱変色性インキ層
１１ａ,２２ａ,３１ａ,４１ａ,５２ａ,６１ａ  外周縁
１２,２２,３２,４２,５２,６２  熱変色性インキ層
１２ａ,２１ａ,３２ａ,３２ｂ  他方の周縁
【図１】
2005187067.tif 000003
【図２】
2005187067.tif 000004
【図３】
2005187067.tif 000005
【図４】
2005187067.tif 000006
【図５】
2005187067.tif 000007
【図６】
2005187067.tif 000008
【図７】
2005187067.tif 000009
【図８】
2005187067.tif 000010